(57)【要約】【課題】皺取り効果を十分に得ることができ、皮膚の表面が濡れている状態でも装着することができる皺取り具を提供する。【解決手段】可撓性及び復元力を有する吸盤状部材でなり、該吸盤状部材は、皮膚に当接させる周縁部１Ａと、周縁部１Ａで囲まれる領域にあって皮膚Ｈとの間に空間２を形成するように突出形成された湾曲部１Ｂとを有し、前記周縁部１Ａを皮膚Ｈの表面に当接させた状態で前記湾曲部１Ｂが皮膚側に押し付けられることによって、前記空間２内の空気が皮膚Ｈと周縁部１Ａとの間から外部に排出され、該空間２内が負圧となり、皮膚に吸着する。【選択図】図４
2014061215.tif 000002
【特許請求の範囲】
【請求項１】
皮膚の表面に装着して用いる皺取り具であって、
可撓性及び復元力を有する吸盤状部材でなり、該吸盤状部材は、皮膚に当接させる周縁部と、周縁部で囲まれる領域にあって皮膚との間に空間を形成するように湾曲形成された湾曲部とを有し、前記周縁部を皮膚の表面に当接させた状態で前記湾曲部が皮膚側に押し付けられることによって、前記空間内の空気が皮膚と周縁部との間から外部に排出されて、該空間内が負圧となり、皮膚に吸着することを特徴とする皺取り具。
【請求項２】
前記吸盤状部材は、シリコーン樹脂又はウレタン樹脂又は熱可塑性エラストマーからなることを特徴とする請求項１に記載の皺取り具。
【請求項３】
前記周縁部が、湾曲部側ほど皮膚から遠ざかるよう湾曲した湾曲面に形成されていることを特徴とする請求項１又は２に記載の皺取り具。
【請求項４】
前記湾曲面の曲率半径が、皮膚の表面の曲率半径よりも小さい値又は同一の値に設定していることを特徴とする請求項３に記載の皺取り具。
【発明の詳細な説明】
【技術分野】
【０００１】
本発明は、皮膚の表面に装着して用いる皺取り具に関する。
【背景技術】
【０００２】
かかる皺取り具としては、シート状の皺取り具が既に提案されている。具体的には、前記シート状の皺取り具が、シート状の基材と、該基材の皮膚との接触面側に固定された粘着層とから構成されている。この粘着層は、粘着性及び形状復元力を有している（例えば、特許文献１参照）。
【先行技術文献】
【特許文献】
【０００３】
【特許文献１】実用新案登録第３１０４４００号公報
【発明の概要】
【発明が解決しようとする課題】
【０００４】
上記特許文献１の構成によれば、シート状の皺取り具を皮膚の表面に押し付けることによって、粘着層の一部が皺の内部に入り込み、この入り込んだ粘着層の形状復元力を利用して皺を伸ばすようにしているが、粘着層の形状復元力が小さいため、皺を十分に伸ばすことができず、皺取り効果が低いものであった。
【０００５】
また、化粧水や美容液等の液体で顔面が濡れている状態では、皺取り具を皮膚の表面に装着することができず、使用し難いものであった。
【０００６】
本発明が、前述の状況に鑑み解決しようとするところは、皺取り効果を十分に得ることができ、皮膚の表面が濡れている状態でも装着することができる皺取り具を提供することを課題とする。
【課題を解決するための手段】
【０００７】
本発明の皺取り具は、前述の課題解決のために、皮膚の表面に装着して用いる皺取り具であって、可撓性及び復元力を有する吸盤状部材でなり、該吸盤状部材は、皮膚に当接させる周縁部と、周縁部で囲まれる領域にあって皮膚との間に空間を形成するように湾曲形成された湾曲部とを有し、前記周縁部を皮膚の表面に当接させた状態で前記湾曲部が皮膚側に押し付けられることによって、前記空間内の空気が皮膚と周縁部との間から外部に排出されて、該空間内が負圧となり、皮膚に吸着することを特徴としている。
【０００８】
上記構成によれば、吸盤状部材が皮膚の表面に押し付けられることによって、湾曲部の空間の空気が皮膚と周縁部との間から外部に排出される。これにより、吸盤状部材が元の形に戻ろうとする復元力で空間内の体積を増大させようとして湾曲部内が負圧となる。この負圧による吸盤状部材の吸着力で皮膚の表面に皺取り具が吸着して固定される。そして、空間内の体積を増大させるように作用する吸盤状部材の復元力によって皮膚が伸ばされ、皺を確実に伸ばすことができる。また、化粧水や美容液等の液体で皮膚の表面が濡れている状態では、吸盤状部材を皮膚の表面に押し付けた際に、吸盤状部材の湾曲部の空間が液体で埋まる。これにより、吸着力をより一層高めて、皮膚の表面に吸盤状部材を確実に固定することができ、皺取り効果だけでなく、美容効果も同時に発揮させることができる。
【０００９】
また、本発明の皺取り具は、前記吸盤状部材が、シリコーン樹脂又はウレタン樹脂又は熱可塑性エラストマーからなることが好ましい。
【００１０】
また、本発明の皺取り具は、前記周縁部が、湾曲部側ほど皮膚から遠ざかるよう湾曲した湾曲面に形成されていることが好ましい。
【００１１】
上記構成にしておけば、皮膚の曲面部の表面に沿わせて皺取り具を確実に装着することができ、皺取り効果を確実に発揮させることができる。
【００１２】
また、本発明の皺取り具は、前記湾曲面の曲率半径が、皮膚の表面の曲率半径よりも小さい値又は同一の値に設定していることが好ましい。
【００１３】
上記構成にしておけば、皺取り具を長期間に亘って良好に装着することができる。
【発明の効果】
【００１４】
本発明によれば、皮膚の表面に押し付けて装着する吸盤状部材から構成することによって、皺取り効果を十分に得ることができる。また、皮膚の表面が濡れた状態でも装着することができる皺取り具を提供することができる。特に、化粧水や美容液等の液体で皮膚の表面が濡れた状態で皺取り具を使用することによって、皺取り効果だけでなく、美容効果も同時に発揮させることができる効果を奏する。
【図面の簡単な説明】
【００１５】
【図１】本発明の皺取り具を目の下に装着した状態を示す図である。
【図２】同皺取り具を示し、（ａ）はそれの平面図、（ｂ）はそれの正面図である。
【図３】（ａ）は図２（ａ）におけるＢ−Ｂ線断面図、（ｂ）は図２（ｂ）におけるＡ−Ａ線断面図である。
【図４】（ａ），（ｂ），（ｃ）は、皺取り具を皮膚の表面に装着するまでの３つの過程を示す縦断面図である。
【図５】（ａ），（ｂ），（ｃ）は、皺取り具を皮膚の表面に装着するまでの３つの過程を示す横断面図である。
【図６】他の皺取り具を示し、（ａ）はそれの平面図、（ｂ）はそれの正面図である。
【発明を実施するための形態】
【００１６】
図１に、本発明の皺取り具１を、目の下の皮膚の表面に装着した状態を示している。
【００１７】
皺取り具１は、可撓性及び復元力を有する吸盤状部材からなっている。また、皺取り具１は、型枠内に溶融した状態のシリコーン樹脂を流し込んで硬化させて形成されたシリコーン樹脂層からなっている。そして、シリコーン樹脂の硬化後のＪＩＳＫ６２５３に規定のタイプＡ硬度が５〜６０度の範囲のものを使用している。また、皺取り具１の厚みを０．１ｍｍ以上に設定している。ここでは、シリコーン樹脂から皺取り具１を作製したが、ウレタン樹脂や熱可塑性エラストマーから作製してもよい。
【００１８】
吸盤状部材は、目の下の形状に合わせて装着できるように、図１に示す左右対称の勾玉形状の外形を有している。
【００１９】
また、吸盤状部材は、図２〜図５に示すように、皮膚Ｈに当接させる周縁部１Ａと、周縁部１Ａで囲まれる領域にあって皮膚Ｈとの間に空間２を形成するように突出形成された湾曲部１Ｂとを有している。尚、周縁部１Ａの厚みＤと、湾曲部１Ｂの厚みＤとが、同一の厚みになっている。
【００２０】
周縁部１Ａは、湾曲部１Ｂの外側に位置し、周方向に同一の幅で全域に亘って設けられている。また、周縁部１Ａの周方向と直交する方向の表面１ａを、空間２側ほど皮膚Ｈから遠ざかるよう湾曲させた湾曲面に形成されている。その湾曲面の曲率半径Ｒは、皮膚の表面の曲率半径よりも小さい値又は同一の値に設定することによって、皺取り具を長期間に亘って良好に装着することができる。
【００２１】
湾曲部１Ｂは、断面形状が円弧形状になっていて、図２（ａ），（ｂ）に示す左右方向中央部が最も高い頂部１ｂになっている。
【００２２】
前記のように構成された皺取り具１を皮膚Ｈに装着する過程について説明する。この場合、化粧水や美容液等の液体で顔面が濡れた状態で装着する場合を説明する。図４（ａ）及び図５（ａ）に示すように、周縁部１Ａを皮膚Ｈの表面に当接させた状態にする。この状態から、図４（ｂ）及び図５（ｂ）に示すように、湾曲部１Ｂを皮膚Ｈ側に押し付けることによって、空間２内の空気を皮膚Ｈと周縁部１Ａとの間から外部に排出する。すると、図４（ｃ）及び図５（ｃ）に示すように、吸盤状部材が元の形に戻ろうとする復元力で空間２内の体積を増大させようとして湾曲部１Ｂの空間２内が負圧になる。この負圧による吸盤状部材の吸着力で皮膚Ｈ表面に皺取り具１が固定される。この吸盤状部材の復元力によって皮膚Ｈが伸ばされ、皺を確実に伸ばすことができる。このとき、化粧水や美容液等の液体Ｌで皮膚Ｈの表面を濡らしているため、皮膚Ｈに押し付けた状態の吸盤状部材の湾曲部１Ｂの空間２が液体Ｌで埋まる（図４（ｂ）、図５（ｂ）参照）。これにより、吸着力をより一層高めて、皮膚Ｈの表面に吸盤状部材を確実に固定することができ、皺取り効果だけでなく、美容効果も同時に発揮させることができる。
【００２３】
尚、本発明は、前記実施形態に限定されるものではなく、本発明の要旨を逸脱しない範囲で種々の変更が可能である。
【００２４】
前記実施形態では、皺取り具１を化粧水や美容液等の液体で顔面が濡れた状態で装着した場合を示したが、化粧水や美容液等の液体で顔面が濡れていない乾燥状態（ドライ状態）で皺取り具１を装着してもよい。この場合、周縁部１Ａの表面に粘着層を設けて実施することもできる。
【００２５】
また、前記実施形態では、皺取り具１を左右対称となる勾玉形状に構成したが、図６（ａ），（ｂ）に示すように、左右非対称の勾玉形状であってもよいし、また楕円形状や円形状あるいは三角形や四角形等の多角形状であってもよい。図６（ａ），（ｂ）に示す皺取り具１は、図２（ａ），（ｂ）に示した皺取り具１と同様に、皮膚Ｈに当接させる周縁部１Ａと、周縁部１Ａで囲まれる領域にあって皮膚Ｈとの間に空間２を形成するように突出形成された湾曲部１Ｂとを有している。
【００２６】
また、前記実施形態では、周縁部１Ａの周方向と直交する方向の表面を、空間側ほど皮膚から遠ざかるよう湾曲させた湾曲面に形成したが、平坦面となる皮膚の表面に装着する場合には、周縁部１Ａの周方向と直交する方向の表面を皮膚の表面と平行な平坦面に形成してもよい。
【００２７】
また、前記実施形態では、皺取り具１を顔面に装着したが、首等の他の皮膚の表面に装着してもよい。
【符号の説明】
【００２８】
１…皺取り具、１Ａ…周縁部、１Ｂ…湾曲部、１ａ…表面、１ｂ…頂部、２…空間、Ｈ…皮膚、Ｌ…液体、Ｒ…曲率半径
【図１】
2014061215.tif 000003
【図２】
2014061215.tif 000004
【図３】
2014061215.tif 000005
【図４】
2014061215.tif 000006
【図５】
2014061215.tif 000007
【図６】
2014061215.tif 000008